(57)【要約】少なくとも１つのサブコードチャネルを含むディスク型の好適に走査可能な記録担体（３）において、ディスク型の記録担体（３）に関連しない外部データが、少なくとも１つのサブコードチャネルに保存される。かようなディスク型の記録担体（３）を走査する再生装置（１）は、アップデートデータによって形成される外部データを処理するために構成される再生装置データ処理手段（５、１０）を含む。ここで前記アップデートデータは、機能ユニット（１２）のルーチンのアップデートのために、不揮発性メモリ手段（１３）へ転送される。
2005501367.tif 000002
【特許請求の範囲】
【請求項１】
記録担体であって、走査されることができ、少なくとも１つのサブコードチャネルと、前記少なくとも１つのサブコードチャネルに保存されているデータと、前記記録担体と関連しない外部データによって形成される、前記少なくとも１つのサブコードチャネルに保存されたデータとを含む記録担体。
【請求項２】
前記外部データはアップデートデータによって形成され、前記アップデートデータは、前記記録担体の走査のために再生装置に含まれるアップデート装置に供給されることができる、請求項１に記載の記録担体。
【請求項３】
前記外部データはＱサブコードチャネルに保存される、請求項１又は２に記載の記録担体。
【請求項４】
前記外部データは識別データシーケンスと前記識別データシーケンスに関連するデータシーケンスとを有し、前記識別データシーケンスは関連する前記データシーケンスの前に保存される、請求項２又は３に記載の記録担体。
【請求項５】
前記保存された識別データシーケンスの直後に、前記識別データシーケンスが付加的に少なくとも１度繰り返して保存される、請求項４に記載の記録担体。
【請求項６】
前記識別データシーケンスに関連する前記データシーケンスの少なくとも一部が、少なくとももう一度保存される、請求項４又は５に記載の記録担体。
【請求項７】
前記記録担体はディスク型の形状で設計され、光学的に走査されることができる、請求項１に記載の記録担体。
【請求項８】
記録担体を走査する再生装置であって、前記記録担体は、少なくとも１つのサブコードチャネルと、前記少なくとも１つのサブコードチャネルに保存されているデータとを含み、前記再生装置は前記記録担体を走査する走査装置と、前記少なくとも１つのサブコードチャネルに保存されたデータを処理するための再生データ処理手段とを含み、前記再生データ処理手段は前記記録担体に関連しない外部データを処理するために具備される再生装置。
【請求項９】
前記再生データ処理手段は、外部データとして提供されたアップデートデータを処理するために構成され、前記再生データ処理手段にはアップデート装置が具備され、前記再生データ処理手段によって処理され配信された前記アップデートデータが前記アップデート処理手段に供給されることができる、請求項８に記載の再生装置。
【請求項１０】
記憶装置手段が具備され、前記アップデートデータが、前記アップデート装置の助力によって前記記憶装置手段に供給される、請求項８に記載の再生装置。
【請求項１１】
記録担体に書き込む記録装置であって、前記記録担体に少なくとも１つのサブコードチャネル中にサブコードチャネルデータが保存されることができ、前記記録装置は、前記記録担体に書き込む書き込み装置と、前記サブコードチャネルに保存されるべきデータの処理のための記録装置データ処理手段とを有し、前記記録装置データ処理手段は、前記記録担体に関連しない外部データを処理するために構成される記録装置。
【請求項１２】
前記記録装置データ処理手段が、外部データとして提供されるアップデートデータを処理するために構成される、請求項１１に記載の記録装置。
【発明の詳細な説明】
【０００１】
【発明の属する技術分野】
本発明は、データが保存されている少なくとも１つのサブコードチャネルを含む、走査可能な記録担体に関する。
【０００２】
本発明は更に、サブコードチャネルに保存された、かような記録担体のデータを再生する再生装置、及びかような記録担体のサブコードチャネルにデータを記録する記録装置に関する。
【０００３】
本発明は更に、サブコードチャネルデータが少なくとも１つのサブコードチャネルに保存される可能性があるような、記録担体に記録する記録装置に関する。
【０００４】
【従来の技術】
かような記録担体及びかような再生装置は本出願人により開発され市場に出されており、それ故知られている。それらはそれぞれ、所謂オーディオ・コンパクトディスクＣＤ及び所謂オーディオＣＤプレイヤ又はＣＤプレイヤである。工業的なオーディオＣＤ規格即ちＣＤ−ＤＡ規格（Ｒｅｄ Ｂｏｏｋ）に従うと、かようなＣＤは所謂サブコードデータチャネルを含む。ここで前記サブコードデータチャネルは、所謂オーディオデータストリーム中の時間多重モード（ｔｉｍｅ−ｍｕｌｔｉｐｌｅｘ ｍｏｄｅ）における所謂主チャネル中に含まれる。全部で８個存在するサブコードチャネルは、Ｐ、Ｑ、Ｒ、Ｓ、Ｔ、Ｕ、Ｖ及びＷチャネルと呼ばれる。前記サブコードデータチャネルからのデータは、前記ＣＤプレイヤが例えば、Ｑサブコードチャネルに保存された、ＣＤに保存されたトラックの再生の間の経過時間、又はトラックの名前及び／又は関連する注釈といった、付加的な情報を再生することを可能にする。
【０００５】
【発明が解決しようとする課題】
この既知のデータ担体を用いた及びこの既知の再生装置を用いた大きな欠点は、前記記録担体に位置された主チャネルに関連するデータのみ、常に前記サブコードチャネルに保存され、従って、かようなデータのみしか処理されることができないという点である。既知の記録担体に関しては、種々の目的のため前記主チャネルに関連し前記記録担体上に存在するデータの利用の可能性のみがある。しかしながらこのことは、かような記録担体の利用の可能性を制限する限定を意味する。
【０００６】
本発明の目的は、上述した限定を除去し、改善された記録担体並びに改善された再生装置及び改善された記録装置を提供することにある。
【０００７】
【課題を解決するための手段】
上述した目的を達成するため、本発明による記録担体においては、本発明による記録担体が以下に定義されるように特徴づけられることができるような、本発明による特有な特徴が提供される。即ち、
記録担体であって、走査されることができ、少なくとも１つのサブコードチャネルと、前記少なくとも１つのサブコードチャネルに保存されているデータと、前記記録担体と関連しない外部データによって形成される、前記少なくとも１つのサブコードチャネルに保存されたデータとを含む記録担体。
【０００８】
前述のとおり定義された目的を達成するために、本発明による再生装置は、本発明による再生装置が以下に定義されるように特徴づけられることができるような、本発明による特徴を持つ。即ち、
記録担体を走査する再生装置であって、前記記録担体は、少なくとも１つのサブコードチャネルと、前記少なくとも１つのサブコードチャネルに保存されているデータとを含み、前記再生装置は前記記録担体を走査する走査装置と、前記少なくとも１つのサブコードチャネルに保存されたデータを処理するための再生データ処理手段とを有し、前記再生データ処理手段は前記記録担体に関連しないデータを処理するように構成される再生装置。
【０００９】
前述のとおり定義された目的を達成するために、本発明による記録装置は、本発明による記録装置が以下に定義されるように特徴づけられることができるような、本発明による特徴を持つ。即ち、
記録担体に書き込む記録装置であって、前記記録担体に少なくとも１つのサブコードチャネル中にサブコードチャネルデータが保存されることができ、前記記録装置は、前記記録担体に書き込む書き込み装置と、前記サブコードチャネルに保存されるべきデータの処理のための記録データ処理手段とを有し、前記記録データ処理手段は、前記記録担体に関連しない外部データを処理するために構成される記録装置。
【００１０】
本発明による手法を提供することによって、改善された記録担体並びに改善された再生装置及び改善された記録装置が単純な方法によって得られる。ここで非常に重要な改善点は、前記改善された記録装置を用いて、前記記録担体の前記サブコードチャネル中に前記記録担体に関連しないデータ（以下、外部データ（ｓｔｒａｎｇｅ ｄａｔａ）と呼ぶ）が保存されることができ、前記改善された再生装置を用いて処理されることができる点である。前記改善された記録担体及び前記改善された再生装置を有するかようなシステムは、例えば前記再生装置において利用される、前記記録担体に関連するデータから成るものではないデータのアップデートを可能にする。前記外部データは、例えばアップデートデータ及び従って前記再生装置を制御するためにアップデートされたデータを形成し、該アップデートデータを用いて、前記再生装置において実行されるルーチンのアップデートが実行されることができる。
【００１１】
この点において、前記記録担体に関連しないデータのアップデートの可能性は、ＣＤ−ＲＯＭ規格に合致する記録担体によって実行され得ることは理解されよう。しかしながらこの場合に必要となる再生装置は、付随する回路及びコストの点で非常な不利となる、より複雑で高価な構成を有する必要がある。
【００１２】
請求項３に記載の特有の特徴を提供することは、前記外部データの非常に単純な可能な保存及び読み取りを可能にする。なぜなら、前記サブコードチャネルをデコードするために提供される従来の集積回路は、付加的なハードウェアのコストが必要とされないように分離した接続、及び従ってＱサブコードチャネルのデータへの単純なアクセスを持つからである。
【００１３】
それぞれ請求項４、請求項５又は請求項６に記載の特有の特徴を提供することにより、前記外部データ又はアップデートデータの探索が容易化されるという利点が提供される。なぜなら、例えば前記再生装置の光学的に働く読み取りユニットの位置決めの実装についての精度に関してのより厳格でない必要性が満足されるからである。
【００１４】
請求項８、９及び１０に記載の本発明による再生装置、並びに請求項１１及び１２に記載の本発明による記録装置は更に、請求項３乃至７に記載の記録担体と協働できるように必要性に従って有利に構成される。この結果、請求項３乃至７に記載のかような記録担体における固有の利点が、本発明による再生装置及び記録装置について得られる。
【００１５】
請求項１０に記載の再生装置に関連して、外部の装置においてアップデート操作を実行することができるように、アップデートデータがアップデート装置の助力によって前記再生装置の外部の装置にも適用されることができることも更に理解されるべきである。
【００１６】
本発明のこれらの及び他の態様は、以下に説明される実施例から明らかであり、これを参照しながら説明されるであろう。
【００１７】
本発明は図に示される実施例を参照しながら更に説明されるが、本発明はこれに限定されるものではない。
【００１８】
【発明の実施の形態】
図１は再生装置１を表す。再生装置１は光ディスクプレイヤ２を有し、該光ディスクプレイヤ２は、光学的な方法で、角速度ωで回転する記録担体３を用いて読み取られることができるデジタル方式で保存された情報又はデータを再生するために提供され構成される。光学的に読み取られることができる記録担体３は、この場合コンパクトディスクＣＤの形のものである。デジタル情報はこのときＣＤ−ＤＡ規格（Ｒｅｄ Ｂｏｏｋ）に従って記録担体３上のトラックに保存される。ＣＤは所謂ＣＤ−Ｒ型又はＣＤ−ＲＷ型であることが理解されよう。光学的に読み取り可能な記録担体３にデジタル形式で保存された前記情報又はデータはそれぞれ、走査装置によって読み出されデコード回路５へと伝送されることができる。ここで走査装置は位置決めされることが可能な光読み取りユニット４を有しても良い。デコード回路５は更にエラー訂正のために具備される。デコードされエラー訂正されたデータは中央処理装置（ＣＰＵ）７に伝送される。
【００１９】
中央処理装置（ＣＰＵ）７はＲＡＭメモリ１５、ＲＯＭメモリ１４及び不揮発性メモリ１３に結合される。ＲＡＭメモリ１５及びＲＯＭメモリ１４は、デコード回路５から中央処理装置（ＣＰＵ）７へ供給されるデータストリームを制御し処理するために具備される。不揮発性メモリ１３はアップデートデータを保存するために具備される。中央処理装置（ＣＰＵ）７は更に、サーボシステム６に結合される。サーボシステム６は、光学的に読み取り可能な記録担体３の角速度ωと、読み取りユニット４の位置とを制御する。読み取りユニット４の制御は、記録担体３に配置されたトラックに対して、従って断続線の矢印ｒで示されるように光学的に読み取り可能な記録担体３に半径方向に相関して、及びフォーカス又は焦点に対して、従って断続線の矢印ｆで示されるように光学的に読み取り可能な記録担体３に垂線方向に相関しての双方に実行される。中央処理装置（ＣＰＵ）７は更にサブコードデータ処理手段１０、アップデート装置１１及びモジュールユニット１２を含む。サブコードデータ処理手段１０は、デコード回路５においてデコードされたデータから得られるサブコードデータを処理するために具備される。デコード回路５及びサブコードデータ処理手段１０は従って、再生データ処理手段の本質的部分である。アップデート装置１１はアップデートデータを処理し不揮発性メモリ手段１３へ配信するために具備される。モジュールユニット１２は、本例の場合においては、音声のコマンドによって再生装置１を制御するために具備される音声制御モジュールを表す。モジュールユニット１２は不揮発性メモリ１３に接続され、該不揮発性メモリ１３に保存された前記アップデートデータを処理するために具備される。モジュールユニット１２は、例えばチューナユニット、増幅器ユニット、ＣＤ制御ユニット又はディスプレイユニットなどの、他のモジュールユニット又は機能ユニットによって形成されると良いであろうことは理解されよう。中央処理装置（ＣＰＵ）７は更に、本例においてはディスプレイによって形成される表示手段８、及びキーボードによって形成され制御コマンドを発行するために具備される入力手段９に接続される。
【００２０】
図３Ａ及び３Ｂにおいて、アップデートデータの可能な構成の例として、データワード又はデータシーケンスがそれぞれ模式的に示されている。ここで図３Ａは識別データシーケンスＩＤＳを示す。識別データシーケンスＩＤＳは全体で９８ビットを有し、ビットブロックＳ０、Ｓ１、ＣＴＲＬ、ＡＤＤＲ、ＩＤ、ＭＡＮＵＦＡＣＴＵＲＥＲ、ＤＥＶＩＣＥ、ＭＯＤＵＬＥ、ＦＩＬＥＳ及びＣＲＣを含む。これらのビットブロックは、図３Ａに示すように、異なる数のビットの結果として異なるブロック長を持つ。図３Ｂは有効（ｕｓｅｆｕｌ）データシーケンスＮＤＳを示す。有効データシーケンスＮＤＳも全体で９８ビット、即ちビットブロックＳ０、Ｓ１、ＣＴＲＬ、ＡＤＤＲ、ＩＤ、ＦＩＬＥ、ＬＰＩ、ＤＡＴＡＰＩ、ＤＡＴＡ及びＣＲＣを含む。ＣＤ−ＤＡ規格で定義されるように、前記データワードは前記光学的に読み取り可能な記録担体上にシーケンシャルに、従って連続的に保存される。本例においては、Ｑサブコードチャネル中の識別データシーケンスＩＤＳ及び有効データシーケンスＮＤＳは、ＣＤ−ＤＡ規格に従って時間多重モードで保存される。このとき識別データシーケンスＩＤＳは常に、多数の有効データシーケンスの前に保存される。ここで有効データシーケンスＮＤＳの数は、ビットブロックＦＩＬＥＳ中に表現されている識別データシーケンスＩＤＳの値によって決定される。ビットブロックＭＡＮＵＦＡＣＴＵＲＥＲは、製造業者を特定する識別データを保存するために利用され、ビットブロックＤＥＶＩＣＥは前記製造業者の特定の装置に関連するコードデータを適応させ、ビットブロックＭＯＤＵＬＥは前記装置の特定のモジュールに関連するコードデータを保存し、ビットブロックＦＩＬＥＳはデータがアップデートのために保存されたファイルの数を表現する値を保存する。この点に関して、説明のため図３に言及する。ここでは、モジュールＭについての一連の識別データシーケンスＩＤＳ及び有効データシーケンスＮＤＳの例がファイルインデクスＦによって表されている。有効データシーケンスＮＤＳのビットブロックＦＩＬＥには、該有効データシーケンスＮＤＳの特定のファイルとの関連の特徴となるファイルインデクスが保存されている。図３Ｃから明らかなように、前記ファイルインデクスは新たなモジュールが後続するときでも各ファイルについて連続的に増加される（モジュール１の最初のファイルはファイルインデクスＦ＝３から始まる）。データシーケンスのかような構成は、特定のファイルについて光読み取りユニット４の比較的簡単な位置決めを可能にする。
【００２１】
ファイルはデータパケットにより形成される。該データパケットのインデクスは、有効データシーケンスＮＤＳのビットブロックＤＡＴＡＰＩ中に保存される。有効データシーケンスＮＤＳのビットＬＰＩは、ファイルの末尾が到達されたか否かを示す。これについての更なる説明は、図２の記述と共に与えられる。
【００２２】
ビットブロックＳ０、Ｓ１、ＣＴＲＬ、ＡＤＤＲ、ＩＤ及びＣＲＣの以下の説明は、識別データシーケンスＩＤＳ及び有効データシーケンスＮＤＳの両方に当てはまる。
【００２３】
１ビットから成るビットブロックＩＤは、識別データシーケンスであるか有効データシーケンスであるかを示す。
【００２４】
ビットブロックＡＤＤＲは、ＣＤ−ＤＡ規格に従って提供されるようなモードを保存するために利用される。ここで本実施例においては、モード４が選択される。例えばモード６又はモード８といった他のモードが利用可能なモードの中から選択されても良いことは理解されよう。
【００２５】
ビットブロックＣＴＲＬは、ＣＤ−ＤＡ規格に従って、多数のオーディオチャネル、コピー保護情報及びプリエンファシス情報を含む。本実施例においては、ビットブロックＣＴＲＬの全てのビットは、論理ゼロに選択される。
【００２６】
それぞれ１ビットのみから成るビットブロックＳ０及びＳ１は同期ビットを表し、ビットブロックＣＲＣはＣＤ−ＤＡ規格に従ったチェックサムを表す。
【００２７】
以下に、アップデート装置１１において実行され、結果として所望のアップデートデータを不揮発性メモリに保存するルーチンが説明される。
【００２８】
図２は、図１に示されたような再生装置１において実行されるルーチンを、フローチャートの形式で示す。前記ルーチンは、再生装置１が所謂アップデートモードにされている間に、キーボード９からのキーボードコマンドを用いて起動された後に開始する。このとき状態の変化はディスプレイ８に表示されても良い。前記ルーチンは、例えばＣＤの「自己認識」に基づいて、即ちＣＤが再生装置１によって認識された後に続く前記ルーチンの自動的な開始によってといったように、他の方法によって開始されても良いことは理解されよう。
【００２９】
図２に示されるように、前記ルーチンはブロック２０において開始される。ブロック２０の後、ブロック２１において変数の初期化がある。本例においては、識別変数ＣＤ＿ＩＤが論理ゼロ（ＦＡＬＳＥ）に初期化され、ファイル数変数ＮＲＯＦＦＩＬＥＳ、ファイル計数変数ＦＩＬＥＣＮＴ及びデータパケット変数ＬＡＳＴＰＡＣＫＡＧＥが１６進数の値０ｘＦＦに初期化される。ブロック２１における前記初期化の後、ブロック２２において、新たなサブコードデータブロックが、サブコードデータ処理手段１０において利用可能であるか否かがテストされ、新たなサブコードデータブロックが利用可能となるまで前記テストは繰り返される。ＣＤ−ＤＡ規格に従ったＣＤの所謂単一速度モード動作においては、サブコードデータブロックは１３．３ｍｓ毎に利用可能となる。前記ＣＤは例えば二重速度モードで動作されても良く、その場合サブコードデータは１３．３／２ｍｓ毎に利用可能となる。かくして新たなサブコードデータが利用可能となった場合、前記ルーチンはブロック２３において継続される。ブロック２３において、ＡＤＤＲに保存されたモード値が４という値と等しいか否かのテストがされる。この問の否の結果（ＮＯ）の場合、前記ルーチンはブロック２２へ進行し、かくして新たなサブコードブロックが待たれる。ブロック２３において前記テストの結果が正（ＹＥＳ）である場合、ブロック２４へ進行する。ブロック２４においてＩＤビットのテストがあり、ＩＤビットがセットされている（論理１である）場合、ブロック３０へ進行し、そうでなければブロック２５へ進行する。ブロック２５において、識別変数ＣＤ＿ＩＤが論理ゼロ（ＦＡＬＳＥ）に設定され、続いてブロック２６へ進行する。ブロック２６において、ビットブロックＭＡＮＵＦＡＣＴＵＲＥＲに保存された値が、所定のものであり製造業者を特徴付ける値と対応するか否かのテストがされる。否の結果の場合、従ってこの問の対応が無い場合（ＮＯ）、前記ルーチンは終了される。対応する場合、従ってブロック２６の正の結果の場合（ＹＥＳ）、ブロック２７へ進行する。ブロック２７において、ビットブロックＤＥＶＩＣＥに保存された値が、所定のものであり製造業者の装置を特徴付ける値と対応するか否かのテストがされる。この問の否の結果の場合（ＮＯ）、前記ルーチンは終了される。ブロック２７において正の結果の場合（ＹＥＳ）、ブロック２８へ進行する。ブロック２８において、ビットブロックＭＯＤＵＬＥに保存された値が、装置のモジュールを特徴付ける値と対応するか否かのテストがされる。この問の否の結果の場合（ＮＯ）、前記ルーチンは終了される。ブロック２８において正の結果の場合（ＹＥＳ）、ブロック２９に進行する。ブロック２９において、識別変数ＣＤ＿ＩＤが論理１（ＴＲＵＥ）に設定され、識別データシーケンスＩＤＳのビットブロックＦＩＬＥＳの値がファイル数変数ＮＲＯＦＦＩＬＥＳに代入され、ファイル計数変数ＦＩＬＥＣＮＴが識別データシーケンスＩＤＳのビットブロックＦＩＬＥの値だけ増加され、続いて前記ルーチンはブロック２２へと進行し、かくして新たなサブコードデータが待たれる。
【００３０】
既に理解されてきたように、前記ルーチンはブロック２４におけるテストの間、設定されたＩＤビット（論理１）を用いてブロック３０において継続される。ブロック３０において、識別変数ＣＤ＿ＩＤの論理値がテストされる。識別変数ＣＤ＿ＩＤの論理値が論理１（ＴＲＵＥ）である場合、前記ルーチンはブロック３１に進行し、そうでなければブロック２２に進行し新たなサブコードデータが待たれる。ブロック３１において、有効データシーケンスＮＤＳのビットブロックＦＩＬＥの値が、ファイル計数変数ＦＩＬＥＣＮＴの値より小さく、ファイル計数変数ＦＩＬＥＣＮＴとファイル数変数ＮＲＯＦＦＩＬＥＳの値との間の差よりも大きいか否かのテストがされる。ブロック３１におけるテストの正の結果の場合、前記ルーチンはブロック３２に進行し、そうでなければブロック２２に進行する。ブロック３２において、有効データシーケンスＮＤＳのＬＰＩビットの論理値がテストされる。ＬＰＩビットの論理値が論理１（ＴＲＵＥ）である場合、前記ルーチンはブロック３３に進行し、そうでなければブロック３４に続行する。ブロック３４において、データパケット変数ＬＡＳＴＰＡＣＫＡＧＥが、有効データシーケンスＮＤＳのビットブロックＤＡＴＡＰＩの値と等しいか否かのテストがされる。ブロック３４におけるこの問の否の結果の場合（ＮＯ）、前記ルーチンはブロック３５に続行し、そうでなければ再びブロック２２において新たなサブコードデータが待たれる。ブロック３５において、データパケット変数ＬＡＳＴＰＡＣＫＡＧＥの値が１だけ増加され、最終的に効果的なアップデートデータを表す有効データシーケンスＮＤＳのビットブロックＤＡＴＡのデータが、ＲＡＭメモリ１５にバッファリングされる。最後に、ブロック３２が否の結果（ＮＯ）を示した場合に実行されるブロック３３において、ここまでで受信された有効データシーケンスＮＤＳのビットブロックＤＡＴＡのデータのうちの、ＲＡＭメモリ１５にバッファリングされた全てのデータが、不揮発性メモリ１３に伝送され、続いて前記ルーチンは終了される。
【００３１】
図４は記録装置２１を示す。前記記録装置２１は光ディスク記録システム２２を有する。ここで光ディスク記録システム２２は、光学的に記録されることができ、角速度ωで回転する記録担体２３に書き込むために具備される。記録担体２３は好ましくはＣＤ−Ｒ又はＣＤ−ＲＷである。記録担体２３は、専門家のグループにおいて知られるような、プレスされたＣＤの製造のための所謂マスタリング及びレプリケーション処理において利用される所謂グラスマスタであっても良いと言えよう。記録装置２１は位置決め可能な書き込み装置２４と、光記録装置２４に接続された記録装置制御ユニット２５とを有する。該書き込み装置２４の助力により、ＣＤ−ＤＡ規格（Ｒｅｄ Ｂｏｏｋ又はＣＤ−Ｒ／ＲＷ向けに拡張されたＯｒａｎｇｅ Ｂｏｏｋ）に従ってデジタル情報又はデータをそれぞれ記憶担体２３に保存することが可能になる。保存されるべきデータは、中央処理装置２７から書き込み装置制御ユニット２５へと伝達される。
【００３２】
中央処理装置（ＣＰＵ）２７はＣＤデータコーディング装置２０とサブコードデータ生成手段１９とを有し、ＲＡＭメモリ２８及びＲＯＭメモリ２９に接続される。中央処理装置（ＣＰＵ）２７に接続されたＲＡＭメモリ２８及びＲＯＭメモリ２９は、デジタル情報の記録担体２３への保存を制御するために具備される。中央処理装置（ＣＰＵ）２７は更に、サーボシステム２６に結合される。該サーボシステム２６は光学的に読み取り可能な記録担体２３の角速度と、光記録装置２４の位置とを制御する。
【００３３】
ＣＤデータコーディング装置２０及びサブコードデータ生成手段１９は、サブコードチャネルに保存されるべきデータを処理するための記録装置データ処理手段の本質的部分を形成する。記録装置２１は更に、図３Ａ及び３Ｂにおいて示されたデータブロックに従ったアップデートデータＵＤの準備の生成のために具備され構成される、アップデートデータ生成手段１８を含む。アップデートデータＵＤは、例えばＡＳＣＩＩデータとして、サブコードデータ生成手段１９へ配信される。該サブコードデータ生成手段１９においては、アップデートデータＵＤが、ＣＤ−ＤＡ規格に従ってＱサブコードチャネルに保存されることができるように変換される。ＣＤ−ＤＡ規格への言及は、生成又はインターリーブ及びコーディングに関してのみ理解されるべきである。Ｑサブコードチャネルの代わりに、例えばＰサブコードチャネルのようないずれの他の利用可能なサブコードチャネルが、同等の方法で保存のために利用されることができることは理解されよう。サブコードデータに変換された前記アップデートデータはＣＤデータコーディング装置２０に配信され、次いで該ＣＤデータコーディング装置２０において、ＣＤ−ＤＡ規格に従って所謂フレーム及びブロックへのコーディングが続く。ＣＤ−ＤＡ規格に従って定義された主チャネルにおいて、無音部分（ａｕｄｉｏ ｓｉｌｅｎｃｅ）が付加的に保存される。無音部分の代わりに、トラック又は可聴の広告が保存されても良いと言えよう。
【図面の簡単な説明】
【図１】本発明による実施例による再生装置の本質的部分を、本例との関連において、ブロック回路図の形で図式的な方法で示す。該再生装置は、光学的に読み出されることができる、ディスク型の記録担体にデジタル方式で保存された情報を再生するために提供される。
【図２】図１で示したような再生装置において実行されることができるアップデートルーチンのフローチャートを示す。
【図３Ａ】光学的に読み取り可能な記録担体のサブコードチャネルに保存されたアップデートデータを模式的に示す。
【図３Ｂ】光学的に読み取り可能な記録担体のサブコードチャネルに保存されたアップデートデータを模式的に示す。
【図３Ｃ】保存されたアップデートデータの可能な連続を示す。
【図４】本発明の実施例による記録装置の本質的部分を、本例との関連において、ブロック回路図の形で図式的な方法で示す。
【図２】
2005501367.tif 000003
【図３Ａ】
2005501367.tif 000004
【図３Ｂ】
2005501367.tif 000005
【国際公開パンフレット】
2005501367.tif 000006
2005501367.tif 000007
2005501367.tif 000008
2005501367.tif 000009
2005501367.tif 000010
2005501367.tif 000011
2005501367.tif 000012
2005501367.tif 000013
2005501367.tif 000014
2005501367.tif 000015
2005501367.tif 000016
2005501367.tif 000017
2005501367.tif 000018
2005501367.tif 000019
2005501367.tif 000020
【国際公開パンフレット（コレクトバージョン）】
2005501367.tif 000021
【国際調査報告】
2005501367.tif 000022
2005501367.tif 000023